(57)【要約】【課題】軸筒内のボールペンレフィルを繰出す操作に連動してインキ収容筒の後方空間部を圧縮して加圧する加圧機構を備えた繰出式加圧筆記具において、筆記状態のまま、インキ収容筒の後方空間部の密閉状態を容易に解除、再加圧可能な繰出式加圧筆記具を提供すること。【解決手段】軸筒４内に、軸筒４とボールペンレフィル７との間に配設され、前後動自在に形成された重量体９と、ボールペンレフィル７の外側面に当該ボールペンレフィル７と一体または別体で形成された当接部２２ａと、軸筒４とボールペンレフィル７との間に配設されボールペンレフィル７と当接部２２ａとを後方へ弾発する第一の弾発部材１５と、を備え、軸筒４を軸方向に沿って前後に振ることで重量体９が前後動し、重量体９と当接部２２ａとが当接するよう構成する。【選択図】図１
2019130808.tif 000002
【特許請求の範囲】
【請求項１】
軸筒内に、筆記具用インキ組成物を充填したインキ収容筒と、該インキ収容筒の前方にボールペンチップと、を具備したボールペンレフィルを収容してなり、
前記インキ収容筒の後方には、前記ボールペンレフィルの前端部を前記軸筒の前端開口部から出没させる繰出機構と、当該インキ収容筒の後部に連結し、外部と連通する空気口を備えた加圧機構と、を具備し、
前記加圧機構が、前記ボールペンレフィルの前方への繰り出し動作に連動して前記空気口の外部との連通を遮断し、前記インキ収容筒の後方空間部を圧縮して加圧すると共に、前記ボールペンレフィルの前記軸筒内への没入動作に連動して前記空気口を外部と連通させ、前記インキ収容筒の後方空間部の密閉状態を解除して外気圧と同圧とするよう構成した繰出式加圧筆記具であって、
前記軸筒の内側面と前記ボールペンレフィルの外側面との間に、当該軸筒に対して前後動自在に形成した重量体が配設され、
前記ボールペンレフィルの外側面に、該ボールペンレフィルと一体または別体で形成され、外方へ向って突出する当接体が配設され、
前記軸筒と前記ボールペンレフィルとの間に第一の弾発部材が配設されると共に、前記第一の弾発部材により前記ボールペンレフィルと前記当接体とが後方へ弾発され、
前記ボールペンレフィルの前端部が前記軸筒の前端開口部から突出した状態で、前記軸筒を軸方向に沿って前後に振り、前記重量体の前進に伴い当該重量体に当接した前記当接部が前記軸筒に対して前進して前記第一の弾性体を収縮させることで、前記加圧機構の空気口が外部と連通して前記インキ収容筒の後方空間部の密閉状態を解除して外気圧と同圧とすると共に、収縮した前記第一の弾性体が伸びることで、前記加圧機構の空気口が遮断され前記インキ収容筒の後方空間部を再度圧縮して加圧する加圧リセット機構を設けたことを特徴とする繰出式加圧筆記具。
【発明の詳細な説明】
【技術分野】
【０００１】
本発明は、インキ収容筒内の筆記具用インキ組成物の後端に圧力を加える加圧筆記具に関するものである。
【背景技術】
【０００２】
従来からこの種の加圧筆記具には、例えば特許文献１に開示のように、インキを充填した筆記体の後端部に、ノック体への押圧操作により筆記体の筆記先端部を軸筒先端開口部より出没するノック式出没機構と、筆記体のインキ収容筒の後方空間部を加圧する加圧機構を具備した、ノック式の加圧筆記具が知られている。
【０００３】
前記したようなノック式の加圧機構を有する加圧筆記具においては、ノック体の押圧操作に連動して加圧機構が作動し、インキ収容筒の後方空間部を加圧すると共に、ノック式の出没機構による筆記先端部の軸筒内への収納操作に連動してインキ収容筒内の加圧状態を解除する構造になっている。また、筆記先端部を軸筒先端開口部より突出させた加圧状態で、筆記によりインキ収容筒内のインキが消費されると、加圧されたインキ収容筒内が徐々に減圧されるため、加圧することで得られるインキ吐出量の増加に伴う筆跡濃度の向上や、筆記先端部を上向きで筆記した際に当該先端からの空気の巻き込みを防止するなどの効果が減少してしまう。このため、減圧した状態をリセットするため、ノック体を押圧して筆記先端部を軸筒内に収納してインキ充填管内の加圧状態を一旦解除し、更に、ノック体を押圧してインキ収容内を再度加圧状態にする必要があり、手間が掛かっていた。
【０００４】
一方、特許文献２には、筆記時の筆圧によって加圧機構部を作動させ、インキ収容管内を加圧状態とする、いわゆる筆圧加圧式のボールペンが開示されている。
この特許文献２に記載されている筆圧加圧式のボールペンは、筆記時にボールペンチップ（筆記先端部）が筆圧によって後退することで加圧機構部が作動してインキ収容管内のインキの後端に圧力を掛ける構造のため、筆記毎に加圧しつつ筆記することとなり、筆記時のインキ収容管内の圧力が一定の状態となることで、安定した筆跡を得ることができる。
【先行技術文献】
【特許文献】
【０００５】
【特許文献１】特開２０００−３３５１７３号公報
【特許文献２】特開２０００−２６３９９２号公報
【発明の概要】
【発明が解決しようとする課題】
【０００６】
しかしながら、特許文献２の構造では、筆記時の筆圧により筆記先端部を微小に後退させることで加圧機構部を作動させている。このため、使用者が感じる筆記時の筆感は、筆記先端部が後方へ動くために柔らかいものとなる。この柔らかい筆感を好む人が多数いることは知られているが、一方で、筆記時に筆記先端部が後退することを不快と感じる人がいることも知られており、特許文献２に記載されている筆圧加圧式のボールペンは、万人が筆記し易いと感じるわけではないという課題があった。
【０００７】
本発明は、軸筒内のボールペンレフィルを繰出す操作に連動してインキ収容筒の後方空間部を圧縮して加圧する加圧機構を備えた繰出式加圧筆記具において、筆記先端部を軸筒の前端開口部から突出させた筆記状態で、インキ収容筒の後方空間部の密閉状態を容易に解除、再加圧可能な繰出式加圧筆記具を提供することを目的とする。
【課題を解決するための手段】
【０００８】
本発明は、
「１．軸筒内に、筆記具用インキ組成物を充填したインキ収容筒と、該インキ収容筒の前方にボールペンチップと、を具備したボールペンレフィルを収容してなり、
前記インキ収容筒の後方には、前記ボールペンレフィルの前端部を前記軸筒の前端開口部から出没させる繰出機構と、当該インキ収容筒の後部に連結し、外部と連通する空気口を備えた加圧機構と、を具備し、
前記加圧機構が、前記ボールペンレフィルの前方への繰り出し動作に連動して前記空気口の外部との連通を遮断し、前記インキ収容筒の後方空間部を圧縮して加圧すると共に、前記ボールペンレフィルの前記軸筒内への没入動作に連動して前記空気口を外部と連通させ、前記インキ収容筒の後方空間部の密閉状態を解除して外気圧と同圧とするよう構成した繰出式加圧筆記具であって、
前記軸筒の内側面と前記ボールペンレフィルの外側面との間に、当該軸筒に対して前後動自在に形成した重量体が配設され、
前記ボールペンレフィルの外側面に、該ボールペンレフィルと一体または別体で形成され、外方へ向って突出する当接体が配設され、
前記軸筒と前記ボールペンレフィルとの間に第一の弾発部材が配設されると共に、前記第一の弾発部材により前記ボールペンレフィルと前記当接体とが後方へ弾発され、
前記ボールペンレフィルの前端部が前記軸筒の前端開口部から突出した状態で、前記軸筒を軸方向に沿って前後に振り、前記重量体の前進に伴い当該重量体に当接した前記当接体が前記軸筒に対して前進して前記第一の弾性体を収縮させることで、前記加圧機構の空気口が外部と連通して前記インキ収容筒の後方空間部の密閉状態を解除して外気圧と同圧とすると共に、収縮した前記第一の弾性体が伸びることで、前記加圧機構の空気口が遮断され前記インキ収容筒の後方空間部を再度圧縮して加圧する加圧リセット機構を設けたことを特徴とする繰出式加圧筆記具。」である。
【０００９】
本発明によれば、ボールペンレフィルの前端部が軸筒の前端開口部から突出した状態で、軸筒を軸方向に沿って前後に振り、重量体の前進に伴い重量体に当接した当接部が前記軸筒に対して前進して第一の弾性体を収縮させることで、加圧機構の空気口が外部と連通してインキ収容筒の後方空間部の密閉状態を解除して外気圧と同圧とすると共に、収縮した前記第一の弾性体が伸びることで、加圧機構の空気口を遮断して密閉し、インキ収容筒の後方空間部を再度圧縮して加圧することができる。このため、本発明の繰出式加圧筆記具で筆記した際、筆記によりインキ収容筒内の筆記具用インキ組成物が消費され、インキ収容筒の後方空間部の容積が増加することで加圧機構により掛けられていた圧力が減圧されても、使用者が任意のタイミングで軸筒を振り、加圧リセット機構を作動させることでインキ収容筒の後方空間部の密閉状態を解除し、インキ収容筒の後方空間部を再度圧縮して加圧する操作を、軸筒を前後に振るという簡単な動作で実施することができる。このため、インキ収容筒の後方空間部に掛かる圧力を維持しつつ筆記を継続することができる。
【００１０】
また、本発明における軸筒ボールペンレフィルの外側面に外方へ向って突出するように形成される当接体は、重量体が前進した際に当接し、且つ、重量体が当接体に当接した際の衝撃力で第一の弾性体が収縮するよう構成されていれば、ボールペンレフィルに対して一体で形成してもよく、別体で形成してもよい。
【００１１】
尚、本発明の重量体の材質は特に限定されるものではないが、軸筒を振った際に慣性力が働きやすいように金属やセラミックなどの比重が重い材質で形成することが好ましい。
また、重量体の形状も、軸筒を振ることで前後動可能、且つ、重量体が前進した際に当接体と当接可能に構成されていれば、特に限定されることはない。更に、重量体は、一部品で形成されていてもよく、複数の部品を係着、接着、圧入などにより固着することで一体化させて構成してもよい。
【００１２】
また、本発明の加圧機構は、軸筒内に配設したピストンを前進させることで、シリンダー内の加圧空間部が圧縮して加圧され、加圧空間部に連通するボールペンレフィルの後方空間部が加圧されるよう構成してもよく、この場合、シリンダーに内外を連通する空気口を設けているため、加圧空間部の加圧状態を解除した際に、空気口によりすぐに外部と加圧空間部を連通させることができる。このため、加圧解除時に瞬間的に発生する加圧空間部が負圧状態（外気圧より低くなる状態）になることを防止でき、更に、加圧空間部が負圧になることによる加圧解除時にボールペンレフィルの前端部から空気をボールペンレフィル内に微量に吸い込み、次の筆記開始時に筆跡が薄くなることを防止できる。
【００１３】
更に、本発明のボールペンレフィルの繰出機構は、当該ボールペンレフィルの繰り出しに連動して加圧機構が作動するように構成されていればよく、従来公知の後端ノック式、回転繰出式、サイドノック式等、特に限定されることはなく採用することができる。
また、本発明の繰出式加圧筆記具は、ボールペンレフィルが軸筒内に没入している状態で軸筒を前後に振り、重量体の前後動により第一の弾発部材を収縮させることで、ボールペンレフィルが前進して軸筒の前端開口部から突出するよう振出式の繰出機構を設け、更に、ボールペンレフィルが軸筒から突出した状態で再度軸筒を振ることで、加圧リセット機構が作動するよう構成してもよく、この場合、ボールペンレフィルの繰出しと、インキ収容筒の後方空間部の密閉状態の解除、再加圧するという２つの動作を軸筒を振ることで容易に実施することができ、利便性が向上する効果を奏する。
【発明の効果】
【００１４】
本発明によれば、軸筒内のボールペンレフィルを繰出す操作に連動してインキ収容筒の後方空間部を圧縮して加圧する加圧機構を備えた繰出式加圧筆記具において、筆記先端部を軸筒の前端開口部から突出させた筆記状態で、インキ収容筒の後方空間部の密閉状態を容易に解除、再加圧可能な繰出式加圧筆記具を提供することができた。
【図面の簡単な説明】
【００１５】
【図１】実施例１の加圧式筆記具の縦断面図である。
【図２】図１における加圧機構の拡大断面図である。
【図３】図１の状態からノック体を前進させたノック状態（筆記状態）を示す縦断面図である。
【図４】図３の状態から軸筒を振り、重量体が摺動リング（当接体）を前方へ移動した状態を示す縦断面図である。
【００１６】
次に図面を参照しながら、本発明の繰出式加圧筆記具をボールペンを用いて詳細に説明するが、本発明は以下の実施例に限定されるものではない。
また、本実施例では、軸筒の長手方向において、ボールペンチップがある方を前方と表現し、その反対側を後方と表現する。更に、軸筒の軸径方向において、ボールペンレフィルがある方を内方と表現し、その反対側を外方と表現する。
尚、説明を分かりやすくするために、図面中の同様の部材、同様の部分については同じ符号を付してある。
【００１７】
実施例１
本実施例の繰出式加圧筆記具１は、図１及び図２に示すように、後軸２の前方に前軸３を螺合することで軸筒４を形成してあり、軸筒４内に前後動可能に配設されたノック体５と、ノック体５内に配設された加圧機構６と、加圧機構６の前部に装着され軸筒４内を前後に摺動可能なボールペンレフィル７と、後軸３の側面に回動自在に係止されたクリップ８と、軸筒４内に前後動自在に配設された重量体９と、により構成してある。また、繰出式加圧筆記具１は、ボールペンレフィル７が軸筒４に対して前後動することで、当該ボールペンレフィル７の前端部を前軸３の前端開口部３ａから出没させる繰出機構１０を備えている。
【００１８】
ボールペンレフィル７は、ＰＰ樹脂からなる透明のインキ収容筒１１に、筆記具用インキ組成物であるインキ１２及び当該インキ１２の後端にインキの消費に伴い追従するグリース状のインキ追従体１３を直接収容し、インキ収容筒１１の前端開口部に、ボール（φ０．５ｍｍ）を回動自在に抱持したボールペンチップ１４の後端部を圧入嵌合して得たものである。
【００１９】
重量体９は、図１に示すように、軸筒４の内側面とボールペンレフィル７の外側面との間に配設され、ボールペンレフィル７外側面を覆うように筒状に形成してあり、ボールペンレフィル７及び軸筒４に対して前後動自在になるよう形成してある。
尚、重量体９は、軸筒４を振った際の運動エネルギーが大きくなるよう、比重の高い材料で形成することが好ましく、本実施例では、ステンレス（ＳＵＳ３０４）を用いて形成してある。
【００２０】
また、重量体９の前方にはボールペンレフィル７の前部外側面７ｄに対して摺動自在に形成した摺動リング２２（当接体）が配設してあり、摺動リング２２の後端面２２ａは、重量体９の前端面と当接するよう形成してある。
【００２１】
前軸３（軸筒４）は、図１に示すように、前端にボールペンレフィル７のボールペンチップ１４が出没可能な前端開口部３ａが形成されている。更に、前軸３（軸筒４）の内面に形成した内段部３ｅと摺動リング２２の前端面２２ｂとの間に第１コイルスプリング１５（第一の弾発部材）を圧縮状態で張架し、且つ、摺動リング２２の後端面２２ａには、ボールペンレフィル７の外段部７ａが当接するよう構成することで、軸筒４に対して摺動リング２２とボールペンレフィル７とを後方に弾発してある。
【００２２】
後軸２（軸筒４）は筒状に形成してあり、図１に示すように、外側面２ａに軸方向に沿って延び、内孔まで貫通する側孔２ｂが形成してある。また、外側面２ａには外方へ向って突出するクリップ係止部２ｃが形成してあり、クリップ係止部２ｃはクリップ用係止突起２ｄとスプリング用係止突起２ｅにより構成してある。そして、クリップ用係止突起２ｄには軸方向に対して直交する方向に係止孔２ｆが形成してある。
【００２３】
ノック体５は、後端に有底部を備えた略筒状に形成されており、外側面に外方へ向って突出する掛止突起５ａが形成され、内周部には、内段部５ｃと内方へ向って突出するストッパー５ｂとを形成してある。また、ノック体５は、その後端が後軸２の後端開口部から後方へ突出するように当該後軸２内に配設してある。
尚、掛止突起５ａは後軸２の側孔２ｂに挿入してあり、これによりノック体５は、後軸２に対して、前後動自在且つ回動不能に係止される。
【００２４】
クリップ８は、後軸２のスプリング用係止突起２ｅと、クリップ８の内壁部に軸筒４側に突出するように形成した内突起８ａとの間にクリップ用スプリング１６を配設し、クリップ８の内側壁に形成した係止軸部８ｂを係止孔２ｆに係止することで、クリップ８の先端部を、後軸２の外壁面側に常時弾発するよう張架すると共に、クリップ８の後端部を押圧（図３の矢印Ｇ方向）することにより、クリップ８と後軸２との係止軸Ｒを支点とし、クリップ８の先端部を後軸２の外壁面から離間可能な可動式クリップとして構成してある。
尚、クリップ８の前部には、基部８ｃから軸筒４側に延び、ノック体５の側面に形成した掛止突起５ａと掛止する被掛止部８ｄを形成してある。
【００２５】
加圧機構６は、図１及び図２に示すように、ボールペンレフィル７の後方且つノック体５の内方に、当該ノック体５に対して前後動自在に収納され、円筒状のシリンダー１７と、シリンダー１７の後端開口部１７ａに挿入されシリンダー１７に対して前後に摺動可能に係着したピストン１８と、ピストン１８の側面に嵌着されたＯリング１９と、シリンダー１７とピストン１８の間に張架した第２コイルスプリング２０（第ニの弾発部材）とで構成してある。
尚、加圧機構６は、ノック体５のストッパー５ｂにより前方への移動を制限してある。
【００２６】
シリンダー１７について詳述すると、図１及び図２に示すように、シリンダー１７は前後に貫通する段状に形成された内孔１７ｂを有しており、シリンダー１７の外周面には、内孔１７ｂまで貫通する空気口１７ｃを形成してある。
また、シリンダー１７の内孔１７ｂには、シリンダー１７の内側部１７ｄとピストン１８の前端とＯリング１９とにより囲まれた加圧空間部２１が形成され、加圧空間部２１は空気口１７ｃによりシリンダー１７の外部と連通させてある。
【００２７】
更に、シリンダー１７の前部１７ｅは中央部１７ｆより小径で形成してあり、前部１７ｅには外方へ向かって円周状に突出する装着部１７ｇが軸方向に沿って２箇所形成してある。また、ボールペンレフィル７の後端内周部７ｂはシリンダー１７の装着部１７ｇに着脱自在に装着してあり、加圧空間部２１はシリンダー１７の内孔１７ｂによりボールペンレフィル７の後部内孔７ｃ（後方空間部）まで連通してある。
尚、装着部１７ｇは、シリンダー１７にボールペンレフィル７を装着した際、シリンダー１７とボールペンレフィル７との間の気密が確保され、且つ、手で容易に着脱可能になるよう外方への突出量（外径）を調整してある。
【００２８】
ピストン１８について詳述すると、ピストン１８の外周部１８ａには外方へ向かって突出する凸部１８ｂが軸心を挟んで対称に２箇所形成してある。そして、凸部１８ｂをシリンダー１７の中央部１７ｆに軸心に沿って延びるように形成した窓部１７ｈに、前後方向に対して摺動自在に係止してある。
【００２９】
更に、ピストン１８の外周部１８ａには軸周方向に延びる凹状の凹状部１８ｃが形成してあり、凹状部１８ｃには合成ゴムで形成したＯリング１９（密閉部材）を嵌着してある。このＯリング１９の外側部はシリンダー１７の内側部１７ｄに摺接しており、シリンダー１７の後端開口部１７ａをピストン１８とＯリング１９とで空気が漏れないように密閉してある。また、ピストン１８の後端面には前方へ向って凹状に形成された後方内孔１８ｄを設けてある。
尚、シリンダー１７が後退した際、シリンダー１７の後端にノック体５の内段部５ｃが当接することで、シリンダー１７の後退を制限してある。
【００３０】
第２コイルスプリング２０（第ニの弾発部材）について詳述すると、第２コイルスプリング２０はシリンダー１７の内方段部１７ｉとピストン１８の前段部１８ｅとの間に張架してあり、ピストン１８に対してシリンダー１７を前方に弾発してある。
【００３１】
尚、加圧空間部２１は、シリンダー１７の前後への摺動によりＯリング１９の位置がシリンダー１７の空気口１７ｃより前方にあるときは密閉状態となり、Ｏリング１９の位置が空気口１７ｃより後方にあるときは、加圧空間部２１とシリンダー１７の外部とが空気口１７ｃにより連通され非密閉状態となる。
【００３２】
ここで、第１コイルスプリング１５と第２コイルスプリング２０の弾発力の関係について説明を行う。
図１の非ノック時（非筆記時）においては、第１コイルスプリング１５の弾発力が第２コイルスプリング２０の弾発力より小さくなり、ノック体５を前方へ押圧した図３の状態（筆記状態）では、第１コイルスプリング１５の弾発力が第２コイルスプリング２０の弾発力より大きくなるよう各コイルスプリングの弾発力を調整してある。
尚、具体的には、本実施例におけて、非ノック時（非筆記状態）の第１コイルスプリング１５の弾発力は１．０Ｎであり、第２コイルスプリング２０の弾発力は１．５Ｎとなるよう構成した。また、ノック時（筆記状態）の第１コイルスプリング１５の弾発力は２．４Ｎであり、第２コイルスプリング２０の弾発力は１．７Ｎとなるよう構成した。
【００３３】
尚、繰出式加圧筆記具１には、軸筒を軸方向に沿って前後に振り、重量体９を前後動させることで、ボールペンチップ１４の前端部１４ａが前軸３の前端開口部３ａから突出した筆記状態におけるシリンダー１７内の加圧空間部２１の密閉状態を解除し、再加圧可能な加圧リセット機構が構成される。
【００３４】
次に、図１及び図３を用いて、ノック体５を前方へ押圧（ノック操作）することで、ボールペンレフィル７の筆記先端部であるボールペンチップ１４の前端部１４ａを前軸３の前端開口部３ａから突出させ、非筆記状態から筆記状態へ切り替えると共に、ボールペンレフィル７内のインキ１２の後端にインキ追従体１３を介して圧力をかける状態を説明する。
図１の状態からノック体５を前方へ押圧（図１の矢印Ｆ方向）すると、ノック体５に押されたピストン１８が前進する。この際、非ノック時における第２コイルスプリング２０の弾発力は、第１コイルスプリング１５の弾発力より大きく設定してあることから、第２コイルスプリング２０は圧縮されることなく加圧空間部２１は非加圧状態のままシリンダー１７とボールペンレフィル７と摺動リング２２とが共に前方に押圧されて前進する。そして、摺動リング２２に押されて、第１コイルスプリング１５が圧縮し、当該第１コイルスプリング１５の弾発力が第２コイルスプリング２０の弾発力より大きくなることでシリンダー１７の前進が止まる。更にノック体５が前進し、ノック体５の内段部５ｃがシリンダー１７の後端に当接すると、シリンダー１７がボールペンレフィル７と共に再びノック体５に押されて前進し、前軸３の前端開口部３ａからボールペンチップ１４の前端部１４ａを突出させる。そこで、ノック体５の掛止突起５ａが、後軸２の側面に配置したクリップ８の先端部の被掛止部８ｄに掛止することで、ボールペンチップ１３の前端を、前軸３（軸筒４）の前端開口部３ａから突出した状態を維持させる図３の状態となる。
【００３５】
この時、加圧機構６においては、シリンダー１７の前進が止まった際、シリンダー１７に対してピストン１８が前進して第２コイルスプリング２０が縮み、シリンダー１７の空気口１７ｃよりＯリング１９の位置が前方へ移動し、Ｏリング１９により加圧空間部２１を密閉する。さらに、ピストン１８が前方へ移動すると、第２コイルスプリング２０を更に圧縮させ、ボールペンレフィル７の後部内孔７ｃ及び加圧空間部２１を圧縮させ、ボールペンレフィル７内のインキ１２の後端にインキ追従体１３を介して圧力を加える状態となる。
【００３６】
そして、クリップ８の後端部を押圧（図３の矢印Ｇ方向）し、クリップ８の被掛止部８ｄに係止したノック体５の掛止突起５ａの掛止状態を解除すると、第１コイルスプリング１５の弾発力によって、摺動リング２２、ボールペンレフィル７、シリンダー１７、ピストン１８及びノック体５が後方に移動して、ボールペンチップ１４の前端部１４ａを前軸３の前端開口部３ａ内に没入させ、且つ、第２コイルスプリング２０の弾発力によりピストン１８に対してシリンダー１７を前進させ、空気口１７ｃがＯリング１９に達すると、加圧空間部２１と外部とが連通し、加圧空間部２１の圧縮状態が解除されて図１の非ノック状態（非筆記状態）に戻る。
【００３７】
次に、図３及び図４を用いて、軸筒４を軸方向に沿って前後に振り、重量体９を前後に移動させて加圧リセット機構を作動することで、加圧機構６内の加圧空間部２１の圧縮状態を解除し、再度加圧する動作を説明する。
図３の筆記状態から、前軸３（軸筒４）を把持したまま軸筒４を軸方向に沿って前後に振ると、慣性力により重量体９が軸筒４及びボールペンレフィル７に対して前後に摺動する。そして、重量体９の前端面９ａが摺動リング２２（当接体）の後端面２２ａに当接すると、当接した際の衝撃で、摺動リング２２が第１コイルスプリング１５（第一の弾性部材）の弾発力に抗して前進する。更に、摺動リング２２が前進した分、第２コイルスプリング２０の弾発力でピストン１８及びＯリング１９に対してシリンダー１７が前方へ移動する。そして、Ｏリング１９がシリンダー１７の空気口１７ｃに達すると、加圧空間部２１と外部とが連通し、加圧空間部２１の圧縮状態が解除されて、外気圧まで圧力が下がる図４の状態となる。尚、この際、ボールペンレフィル７、シリンダー１７、ノック体５の３部品は摺動リング２２の移動に合わせて自重により前方側へ移動した状態となる。
ここで、重量体９に押された摺動リング２２の前進が止まると（図４の状態）、第１コイルスプリング１５の弾発力により摺動リング２２、重量体９、ボールペンレフィル７、シリンダー１７、ピストン１８、Ｏリング１９、ノック体５が後方へ移動する。そして、ノック体５の掛止突起５ａがクリップ８の被掛止部８ｄに当接することでノック体５の後退が止まり、次にノック体５の内段部５ｃにピストン１８の後端が当接することでピストン１８とＯリング１９の後退が止まる。この際、ノック時（筆記状態）においては第２コイルスプリング２０の弾発力より第１コイルスプリング１５の弾発力を強くなるよう設定しているため、シリンダー１７とボールペンレフィル７は後退を続け、シリンダー１７の空気口１７ｃがＯリング１９より後方へ移動し、加圧空間部２１が密閉状態となり、更にシリンダー１７が後方へ移動することで、加圧空間部２１が再び圧縮された図３の状態に戻る。
【００３８】
以上の構成により、本実施例の繰出式加圧筆記具１は、ボールぺンチップ１４の前端部１４ａが前軸３の前端開口部３ａから突出した図３の状態で筆記を行うと、ボールペンレフィル７内のインキ１２の後端にインキ追従体１３を介して圧力を加えるため、通常よりインキ吐出量が増加し、筆跡濃度の向上、筆跡のかすれ防止、ボールペン構造の特有の問題である上向き筆記時の筆記先端部からの空気巻き込み防止等の効果を得られる。
また、図３の状態で筆記を続けると、ボールペンレフィル７内のインキ１２を消費するため、ボールペンレフィル７の後部内孔７ｃ（後方空間部）の容積がインキ１２の消費分増加してしまい、結果として、後部内孔７ｃ（後方空間部）と連通している加圧空間部２１が減圧され、使うごとに効果が減少してしまうが、軸筒４を前後に振り、加圧リセット機構を作動させることで加圧空間部２１の密閉状態を解除、再加圧することができ、加圧空間部２１内の圧縮状態を回復することができる。
【００３９】
更に、本実施例の繰出式加圧筆記具１は、筆記状態のまま、軸筒４を把持して振る動作をすることで加圧リセット機構を作動できる。このため、加圧リセット機構の作動を軸筒４を持ち替えることなく実施でき、加圧空間部２１の加圧状態を容易に維持しつつ筆記を継続することが可能なものとなった。また、ボールペンレフィル７を前方へ繰出す際に同時に加圧空間部２１を加圧する構造であることから、筆記する際にボールペンレフィルの後退動作を利用してボールペンレフィル内を加圧する筆圧加圧式と比べて、筆記時のボールペンレフィルの後退がなく、筆記し易いものとなった。
また、繰出式加圧筆記具１は、軸筒４を振り、重量体９を前後動させることで加圧リセット機構を作動させる操作を何度繰り返しても、加圧空間部２１の加圧量が増え続けることはなく、過度に加圧量が増えることでボールペンチップ１４の前端部１４ａ（筆記先端部）からインキ１２が漏れることはない。
【００４０】
また、本実施例では、筆記時に比重の重い材料で形成された重量体９が軸筒４の前方側に位置するよう構成しているため、加圧機構６及び芯繰出機構１０が後部に形成され重心位置が軸筒４の後方側に寄り易い繰出式加圧筆記具においても、重心位置を軸筒４の前方側に位置するよう構成でき、筆記感を向上できる。
更に、重量体を比重の異なる複数の部品により構成、または、前後方向で形状や厚み等を変えることで筆記時の重心位置を調整してもよい。
【００４１】
尚、本実施例では、軸筒を振った際、摺動リング２２（当接体）の後端面２２ａに重量体９を当接させることで第１コイルスプリング１５を圧縮し、ボールペンレフィル７を第２コイルスプリング２０の弾発力で前進させて、加圧機構６の加圧空間部２１の加圧状態を解除したが、重量体９が当接する当接体をボールペンレフィル７に一体的に設けてよく、図示はしないが、例えば、ボールペンレフィルの外側面に外方へ向って突出する突起部を設け、突起部に重量体９が当接するよう構成することで、軸筒４を振った際の重量体の慣性力で直接、ボールペンレフィルを第１コイルスプリングの弾発力に抗して前進させ、ボールペンレフィルの前進によりシリンダーを前進させることでも加圧空間部の密閉状態を解除することが可能である。また、前記構成であれば、重量体の慣性力で直接ボールペンレフィルを前進させていることから、ボールペンレフィルの前端部が軸筒内に没入している状態で軸筒を振り、ボールペンレフィルを前進させることで、軸筒の前端開口部から繰出すよう構成することもできる。この場合、ボールペンレフィルの繰出しと、インキ収容筒の後方空間部の密閉状態の解除、再加圧するという２つの動作を軸筒を振ることで容易に実施することができるため利便性が向上する。
【符号の説明】
【００４２】
１…繰出式加圧式筆記具、
２…後軸、２ａ…外側面、２ｂ…側孔、２ｃ…クリップ係止部、
２ｄ…クリップ用係止突起、２ｅ…スプリング用係止突起、２ｆ…係止孔
３…前軸、３ａ…前端開口部、３ｂ…外側面、３ｃ…内孔、３ｄ…側孔、
３ｅ…内段部、
４…軸筒、
５…ノック体、５ａ…掛止突起、５ｂ…ストッパー、５ｃ…内段部、
６…加圧機構、
７…ボールペンレフィル、７ａ…外段部、７ｂ…後端内周部、
７ｃ…後部内孔（後方空間部）、７ｄ…前部外側面、
８…クリップ、８ａ…内突起、８ｂ…係止軸部、８ｃ…基部、８ｄ…被掛止部、
９…重量体、
１０…芯繰出機構、
１１…インキ収容筒、
１２…インキ（筆記具用インキ組成物）、
１３…インキ追従体、
１４…ボールペンチップ、１４ａ…前端部、
１５…第１コイルスプリング（第一の弾発部材）、
１６…クリップ用スプリング、
１７…シリンダー、１７ａ…後端開口部、１７ｂ…内孔、１７ｃ…空気口、
１７ｄ…内側部、１７ｅ…前部、１７ｆ…中央部、１７ｇ…装着部、
１７ｈ…窓部、１７ｉ…内方段部、１７ｊ…窓部後端、
１８…ピストン、１８ａ…外周部、１８ｂ…凸部、１８ｃ…凹状部、
１８ｄ…後部内孔、１８ｅ…前段部、
１９…Ｏリング、
２０…第２コイルスプリング（第二の弾発部材）、
２１…加圧空間部、
２２…摺動リング、２２ａ…後端面（当接部）、２２ｂ…前端面、
Ｒ…係止軸。
【図１】
2019130808.tif 000003
【図２】
2019130808.tif 000004
【図３】
2019130808.tif 000005
【図４】
2019130808.tif 000006